(57)【要約】【課題】本来読み取る必要のないＲＦＩＤタグの情報を読み取った場合に、ＲＦＩＤリーダの送信パラメータを自動的に調整する資産管理システムを提供する。【解決手段】複数の資産にそれぞれ取り付けたＲＦＩＤタグに対して電波を送信し、ＲＦＩＤタグからの応答電波を受信するＲＦＩＤリーダと、予め設定したエリア内にあるＲＦＩＤタグの情報をＲＦＩＤリーダから受け取り管理を行う資産管理部と、エリア外のＲＦＩＤタグの情報が読み取られた場合にＲＦＩＤリーダの送信パラメータを調整し、送信パラメータの出力値を、エリア外に配置したＲＦＩＤタグからの情報が読み取れなくなる第１の出力値と、エリア内に配置したＲＦＩＤタグからの情報が読み取れなくなる第２の出力値の中間になるように設定するパラメータ調整部と、を具備する【選択図】図２
2011060042.tif 000002
【特許請求の範囲】
【請求項１】
管理対象の複数の資産にそれぞれ取り付けられ、前記複数の資産を特定する情報を記憶したＲＦＩＤタグに対して電波を送信し、前記ＲＦＩＤタグからの応答電波を受信して前記ＲＦＩＤタグの情報を読み取るＲＦＩＤリーダと、
予め設定したエリア内にある前記資産のＲＦＩＤタグの情報を前記ＲＦＩＤリーダから受け取り、前記各資産の管理を行う資産管理部と、
前記設定したエリア外のＲＦＩＤタグの情報が読み取られた場合に前記ＲＦＩＤリーダの送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定するパラメータ調整部と、
を具備したことを特徴とする資産管理システム。
【請求項２】
前記パラメータ調整部は、ユーザ操作に応答して前記送信パラメータの出力値を段階的に可変して前記第１の出力値と前記第２の出力値の中間値を自動的に算出し、前記送信パラメータを、前記中間値又は前記中間値よりも前記第２の出力値側に設定することを特徴とする請求項１記載の資産管理システム。
【請求項３】
前記パラメータ調整部は、前記送信パラメータとして、前記ＲＦＩＤリーダからの電波出力又は周波数を可変することを特徴とする請求項１記載の資産管理システム。
【請求項４】
予め設定したエリア内にある複数のＲＦＩＤタグに対して電波を送信し、前記ＲＦＩＤタグからの応答電波を受信して前記ＲＦＩＤタグの情報を読み取る送受信部と、
前記設定したエリア外のＲＦＩＤタグの情報が読み取られた場合に送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定する送信パラメータ調整部と、
を具備したことを特徴とするＲＦＩＤリーダ。
【請求項５】
前記送信パラメータ調整部は、ユーザ操作に応答して前記送信パラメータの出力値を段階的に可変して前記第１の出力値と前記第２の出力値の中間値を自動的に算出し、前記送信パラメータを、前記中間値又は前記中間値よりも前記第２の出力値側に設定することを特徴とする請求項４記載のＲＦＩＤリーダ。
【請求項６】
前記送信パラメータ調整部は、前記送信パラメータとして、電波出力又は周波数を可変することを特徴とする請求項４記載のＲＦＩＤリーダ。
【請求項７】
管理対象の複数の資産にそれぞれ前記複数の資産を特定する情報を記憶したＲＦＩＤタグを取り付け、
予め設定したエリア内にある前記複数のＲＦＩＤタグに対してＲＦＩＤリーダから電波を送信し、前記ＲＦＩＤタグからの応答電波を前記ＲＦＩＤリーダで受信して前記ＲＦＩＤタグの情報を読み取り、
前記設定したエリア外のＲＦＩＤタグの情報が読み取られた場合に、前記ＲＦＩＤリーダの送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定することを特徴とするＲＦＩＤリーダの出力調整方法。
【請求項８】
前記パラメータ調整は、ユーザ操作に応答して前記送信パラメータの出力値を段階的に可変して前記第１の出力値と前記第２の出力値の中間値を自動的に算出し、前記送信パラメータを、前記中間値又は前記中間値よりも前記第２の出力値側に設定することを特徴とする請求項７記載のＲＦＩＤリーダの出力調整方法。
【請求項９】
前記パラメータ調整は、前記送信パラメータとして、前記ＲＦＩＤリーダからの電波出力又は周波数を可変することを特徴とする請求項７記載のＲＦＩＤリーダの出力調整方法。
【発明の詳細な説明】
【技術分野】
【０００１】
本発明は、無線タグを利用して書類、備品等の資産を管理する資産管理システム、ＲＦＩＤリーダ及びＲＦＩＤリーダの出力調整方法に関する。
【背景技術】
【０００２】
従来、企業（会社、店舗、銀行など）では、自身が保有する資産（パーソナルコンピュータ等の物品や書類等）が帳簿上の数量と一致するか否かを確認するために定期的に棚卸を行っている。棚卸は、資産が不正に持ち出されたり、紛失していないか等を確認するものである。近年では、資産管理のために各物品や書類等にＲＦＩＤ（Radio Frequency Identification）タグを取り付け、ＲＦＩＤタグに各資産のＩＤ情報を記憶し、棚卸の際にＲＦＩＤタグの情報を非接触で読み取って、各物品や書類の有無等をチェックするようにしている。
【０００３】
例えば管理対象となる物品或いは書類を入れるダンボール・袋などのホルダーや、物品自体にＩＤ情報を記憶したＲＦＩＤタグを貼り付け、タグリーダを備えたハンディタイブのリーダライタによって非接触でＲＦＩＤタグの情報を読み読取り、各物品の有無や、収納位置等を検知するようにしている。また各収納棚にどの物品やホルダーが保管されているかを予めデータベースに記憶しておき、読み取ったＲＦＩＤタグの管理情報とデータベースの記憶情報を照合して棚卸を行っていた。
【０００４】
ところで、ＲＦＩＤタグを物品やホルダーに取り付けて棚卸管理を行う場合、ＲＦＩＤタグは目視できなくても、電波により同時に複数個のタグの情報を読み取ることができるため、設定したエリア以外にあるＲＦＩＤタグの情報も読み取ってしまうことがある。このため、本来読み取る必要のないＲＦＩＤタグの情報を読み取った場合は、目視にて再確認する等の作業が発生してしまう。
【０００５】
このため、読み取る必要のない（読み取りたくない）ＲＦＩＤタグの情報を読み取った場合は、担当者が設置現場に出向き、ＲＦＩＤリーダからの電波出力を小さくしたり、アンテナの向き等を設置環境（周辺環境、タグの貼付状態、管理方法等）に応じて調整する必要があった。
【０００６】
特許文献１には、複数の収納庫内にそれぞれＩＣタグが付加された物品を収納し、各収納庫にそれぞれリーダ装置を設けた在庫管理システムが開示されている。この特許文献１の例では、各収納庫を互いに電磁的に遮蔽して、リーダ装置による読み取り機能が別の収納庫内の物品に及ばないようにしている。
【先行技術文献】
【特許文献】
【０００７】
【特許文献１】特開２００６−２６４９４２号公報
【発明の概要】
【発明が解決しようとする課題】
【０００８】
従来、ＲＦＩＤタグを物品やホルダーに取り付けて棚卸管理を行う場合、本来読み取る必要のないＲＦＩＤタグの情報を読み取ってしまうことがあった。このため担当者が設置現場に出向き、ＲＦＩＤリーダからの電波出力を小さくしたり、アンテナの向き等を、設置環境に応じて調整する必要があった。また特許文献１のように物品の収納庫を個々に遮蔽するのも構成が複雑である。
【０００９】
本発明は上記事情に鑑みて成されたもので、本来読み取る必要のないＲＦＩＤタグの情報を読み取ってしまう場合に、ＲＦＩＤリーダの送信パラメータを自動的に調整して、以後はリードエラーを低減できる資産管理システム、ＲＦＩＤリーダ及びＲＦＩＤリーダの出力調整方法を提供することを目的とする。
【課題を解決するための手段】
【００１０】
請求項1記載の本発明の資産管理システムは、管理対象の複数の資産にそれぞれ取り付けられ、前記複数の資産を特定する情報を記憶したＲＦＩＤタグに対して電波を送信し、前記ＲＦＩＤタグからの応答電波を受信して前記ＲＦＩＤタグの情報を読み取るＲＦＩＤリーダと、予め設定したエリア内にある前記資産のＲＦＩＤタグの情報を前記ＲＦＩＤリーダから受け取り、前記各資産の管理を行う資産管理部と、前記設定したエリア外のＲＦＩＤタグの情報が読み取られた場合に前記ＲＦＩＤリーダの送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定するパラメータ調整部と、を具備したことを特徴とする。
【００１１】
また、請求項４記載の本発明のＲＦＩＤリーダは、予め設定したエリア内にある複数のＲＦＩＤタグに対して電波を送信し、前記ＲＦＩＤタグからの応答電波を受信して前記ＲＦＩＤタグの情報を読み取る送受信部と、前記設定したエリア外のＲＦＩＤタグの情報が読み取られた場合に送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定する送信パラメータ調整部と、を具備したことを特徴とする。
【００１２】
また、請求項７記載の本発明のＲＦＩＤリーダの出力調整方法は、管理対象の複数の資産にそれぞれ前記複数の資産を特定する情報を記憶したＲＦＩＤタグを取り付け、予め設定したエリア内にある前記複数のＲＦＩＤタグに対してＲＦＩＤリーダから電波を送信し、前記ＲＦＩＤタグからの応答電波を前記ＲＦＩＤリーダで受信して前記ＲＦＩＤタグの情報を読み取り、前記設定したエリア外のＲＦＩＤタグの情報が読み取られた場合に、前記ＲＦＩＤリーダの送信パラメータを調整し、前記送信パラメータの出力値を、前記設定エリア外に配置した前記ＲＦＩＤタグからの情報が読み取れなくなる第１の出力値と、前記設定エリア内に配置した前記ＲＦＩＤタグからの情報が読み取れなくなる第２の出力値の中間になるように設定することを特徴とする。
【発明の効果】
【００１３】
本発明によれば、ＲＦＩＤタグを使用した資産管理システムにおいて、読み取る必要のないＲＦＩＤタグが読み取られた場合は、ＲＦＩＤリーダの送信パラメータを調整することにより、自動的に読み取れないように設定することができ、リードエラーを低減して効率よく管理を行うことができる。
【図面の簡単な説明】
【００１４】
【図１】本発明の一実施形態に係る資産管理システムを示す構成図。
【図２】一実施形態に係る資産管理システムの構成を示すブロック図。
【図３】ＲＦＩＤリーダの出力調整の動作を示す説明図。
【図４】ＲＦＩＤリーダの出力調整の他の動作を示す説明図。
【図５】ＲＦＩＤリーダの出力調整の準備動作を示すフローチャート。
【図６】ＲＦＩＤリーダの出力調整動作を示すフローチャート。
【発明を実施するための形態】
【００１５】
以下、この発明の一実施の形態について図面を参照して詳細に説明する。
【実施例１】
【００１６】
図１は本発明の一実施形態に係る資産管理システムの構成図である。この実施形態の資産管理システムは、保管棚１００，１０１に保管された物品・書類等の資産１０，１１に取り付けられたＲＦＩＤタグ（無線タグ）２０，２１と、ＲＦＩＤタグ２０，２１の情報を読み取るハンディタイプのＲＦＩＤリーダ３０（以下ハンディターミナル３０と呼ぶ）を含む。
【００１７】
ハンディターミナル３０は、ＲＦＩＤタグ２０，２１と無線で通信可能であり、ハンディターミナル３０からＲＦＩＤタグ２０，２１に対して電波を発信し、ＲＦＩＤタグ２０，２１からの応答電波をハンディターミナル３０で読み取る。また、ハンディターミナル３０は、パーソナルコンピュータ等の上位システム４０に接続している。ハンディターミナル３０は、表示部３０１と各種の入力キーを含む操作部３０２を有し、ユーザ（操作者）によって操作される。
【００１８】
保管棚１００，１０１は、例えば多段の保管場所を有し、各段に物品・書類等の資産を収納したホルダー１０，１１を保管している。尚、資産としては、パーソナルコンピュータ、ソフトウェア、スキャナ、電話機等の物品のほかに、各種の書類（契約書、設計書、企画書など）も含まれる。
【００１９】
以下の説明では、特定のホルダー１０，１１に資産である書類や物品を保管し、各ホルダー１０，１１にそれぞれＲＦＩＤタグ２０，２１を貼り付けて管理する例を説明する。なお、説明の便宜上、保管棚１００にあるホルダー１０に取り付けたＲＦＩＤタグを符号２０で示し，保管棚１０１にあるホルダー１１に取り付けたＲＦＩＤタグを符号２１で示しているが、ＲＦＩＤタグ２０と２１は同じ構成である。またホルダー１０，１１に、ＲＦＩＤタグ２０，２１を貼り付けた例を示しているが、物品個々にＲＦＩＤタグを貼り付けたり、書類１枚毎にＲＦＩＤタグを貼り付けてもよい。また保管棚１００，１０２は、管理する資産の数に応じて増減する。
【００２０】
図２は、ハンディターミナル３０及び周辺装置の構成を示すブロック図である。ハンディターミナル１０は、主制御部を構成するＣＰＵ３１（Central Processing Unit）と、ＲＯＭ３２（Read Only Memory）、ＲＡＭ３３（Random Access Memory）を含む記憶部と、上位システム４０（パーソナルコンピュータ:ＰＣ）とデータ通信を行う通信部３４を有する。また、ＲＦＩＤタグ２０，２１との間で通信を行うため、ＲＦＩＤ制御部３５、送信制御部３６、受信制御部３７、サーキュレータ３８及びアンテナ３９を有している。
【００２１】
ＲＦＩＤ制御部３５は、ＣＰＵ３１の制御のもとに送信制御部３６及び受信制御部３７を制御するもので送信パラメータの調整も行う。送信制御部３６は、ＲＦＩＤ制御部３５からの高周波信号をデジタルデータで変調してサーキュレータ３８に出力する。サーキュレータ３８は、送信制御部３６からの信号をアンテナ３９に出力し、アンテナ３９からはサーキュレータ３８の出力信号に応じた電波を発信する。なお、送信制御部３６及び受信制御部３７は、送受信部を構成する。
【００２２】
一方、ホルダー１０，１１に取り付けたＲＦＩＤタグ２０，２１は、アンテナ３９から発信された電波を受信すると、ハンディターミナル３０に対して応答電波を発信する。ＲＦＩＤタグ２０，２１からの応答電波は、アンテナ３９で受信される。アンテナ３９で受信した応答電波は、サーキュレータ３８に入力され、受信制御部３７で受信処理される。受信制御部３７は、入力された信号を増幅した後ベースバンド信号に変換し、このベースバンド信号を復調してデジタルデータに変換し、ＲＦＩＤ制御部３５に出力する。ハンディターミナル３０は、図１で示す表示部３０１と操作部３０２を備えている。
【００２３】
またハンディターミナル３０は、上位システムであるＰＣ４０に接続されている。ＰＣ４０は、内蔵した管理プログラム４０１にしたがって資産管理（例えば棚卸）を実行するもので、資産管理部を構成する。さらにＰＣ４０はデータベース５０に接続している。データベース５０には、棚卸用の管理情報が記憶されている。例えば管理棚１００，１０１の設置場所、管理部門、担当者、各棚に保管されている資産名、各ＲＦＩＤタグ２０，２１のＩＤ情報などが記憶されている。尚、データベース５０とＰＣ４０は、別体として構成してもよいが、データベース５０をＰＣ４０内に組み込んでもよい。
【００２４】
棚卸を実行する際には、保管棚１００，１０１の所定のエリアに保管されたホルダー１０，１１に対してハンディターミナル３０から電波を送信する。各ホルダー１０，１１に取り付けられたＲＦＩＤタグ２０，２１は、ハンディターミナル３０からの電波を受信するとハンディターミナル３０に対して、応答電波を送信する。ハンディターミナル３０は、受信した電波に含まれるＲＦＩＤタグ２０，２１の固有のＩＤ情報を読み取り、ＰＣ４０に送る。即ち、ＲＦＩＤタグ２０，２１にはそれぞれホルダー１０，１１（資産）を特定する情報（ＩＤ情報）が記憶されており、ハンディターミナル３０からの読み取り要求に応じてＩＤ情報を含む信号を返送する。
【００２５】
ＰＣ４０は、データベース５０に格納された管理情報とＲＦＩＤタグ２０，２１から送信されたＩＤ情報を照合して、保管棚１００，１０１の所定の位置（段）にホルダー１０，１１が保管されているか否かをチェックする。つまりデータベース５０には、予めどの保管棚１００，１０１の何段目にどのホルダー１０，１１が保管されているかをＲＦＩＤタグ２０，２１のＩＤ情報を含めて格納しているため、ハンディターミナル３０が読み取った情報をＰＣ４０で受取り、データベース５０に記憶されている管理情報と比較することで、各ホルダー１０，１１が正規の位置にあるか否かを判断して、管理対象の資産の有無を確認する。
【００２６】
ところで、このような資産管理システムでは、保管棚の数や段数が多くなると、一度に全てのホルダー１０，１１の棚卸を実行することが困難であるため、例えば保管棚１００の第１段目、第２段目…のように所定のエリアに分けて棚卸するのが一般的である。つまり、ハンディターミナル３０からの電波強度や周波数、指向性等を調整することでエリアを指定することができ、幾つかのエリア毎に棚卸を実施することができる。
【００２７】
しかしながら、所定のエリア（例えば、保管棚１００の１段目にあるホルダー１０）を指定してＲＦＩＤタグ２０の情報を読み取ろうとしても、指定エリア外（例えば奥の保管棚１０１にあるホルダー１１）のＲＦＩＤタグ２１の情報を読み取ることがあり、棚卸の照合にズレを生じることがある。
【００２８】
このように指定エリア外にあるＲＦＩＤタグのＩＤ情報を読み取ってしまうことを、以下の説明ではリードエラーと呼ぶ。例えば、ホルダー１０が密集して配置されている場合、ハンディターミナル３０からの電波送信の電力を強くする必要があるため、エリア外（保管棚１０１）にあるＲＦＩＤタグ２１が反応することは稀にある。
【００２９】
或いは隣の保管棚に限らず、高さ位置の異なる段にあるホルダーのタグデータを読み取ってしまう。このため、本来読み取る必要のないＲＦＩＤタグの情報を読み取った場合は、リードエラーとなり、目視にて再確認する作業が発生してしまい、棚卸効率が低下してしまう。特に何万件もの資産について棚卸する場合は、再確認作業に多くの時間を費やすことになる。
【００３０】
本発明の実施形態は、このようなリードエラーに対処したものである。即ち、エリア外のＲＦＩＤタグの情報を読み取ってしまった場合は、そのタグの情報を読み取らないように、ハンディターミナル（ＲＦＩＤリーダ）３０は、自動で出力パラメータを調整する機能を有する。以下、出力パラメータの調整動作を図３、図４を参照して説明する。
【００３１】
例えば、ＲＦＩＤタグ２０が指定したエリア内にあり、ＲＦＩＤタグ２１がエリア外にあり、エリア外のＲＦＩＤタグ２１の情報を読み取ってしまった場合を想定する。この場合、先ずは図３に示すように、本来読み取りたいＲＦＩＤタグ２０をハンディターミナル３０で読み取り可能なエリア内の位置に配置し、読み取りたくないＲＦＩＤタグ２１をエリア外の位置に配置する。そして、ハンディターミナル３０の操作部３０２に備えた自動調整ボタンを押すと、アンテナ３９からＲＦＩＤタグ２０，２１に対して電波が送信される。
【００３２】
次にハンディターミナル３０からの送信パラメータ、例えば電波出力が段階的に変更され、図４で示すように、読みたいＲＦＩＤタグ２０の情報が読み取れ、且つ、読みたくないＲＦＩＤタグ２１の情報が読み取れなくなる電波出力を見極め、見極め値に基づいて送信パラメータが設定される。図４は、ハンディターミナル３０からの電波出力を徐々に下げて行き、ＲＦＩＤタグ２０の情報だけが読み取れ、ＲＦＩＤタグ２１の情報が読めなくなった状態を示している。
【００３３】
実際には、ＲＦＩＤタグ２１の情報が読み取れなくなる出力を上限値とし、ＲＦＩＤタグ２０の情報が読み取れなくなる出力を下限値として、その上限値と下限値の中間値、或いは中間値よりもやや下限値側に出力を設定する。設定された送信パラメータ（電波出力等）は、ハンディターミナル３０内の記憶部（例えばＲＡＭ３３）に保管され、次に更新されるまで設定値を保持する。
【００３４】
この設定時に使用する読み取りたくないタグ２１は、受信性能が良いタグを使用し、読み取りたいタグ２０は、受信性能がやや劣るタグを用いると良い。またアンテナ３９は、使用するＲＦＩＤタグ用に意図的に設計したものが望ましい。また管理対象物品に貼り付けた時の特性変動を考慮する必要がある。例えばＲＦＩＤタグを紙に貼り付けた場合と、プラスチックに貼り付けた場合などでも特性変動が生じるため、ＲＦＩＤタグ２０，２１は、管理対象物（ホルダー１０，１１）に実際に貼り付けて調整するのが望ましい。さらに鉄筋の部屋、木造の部屋等によって電波の反射特性が異なるため、ＲＦＩＤタグ２０，２１の設置環境も実際に使用する環境内にて調整するのがよい。
【００３５】
尚、送信パラメータとしては、上述した電波出力以外に、ハンディターミナル３０からの送信周波数を変えたり、Ｑ値（一度に読み取り可能なタグの枚数を示す値）や、ＤＲ（ＴＲリンク周波数）、Ｍ（符号周期）等を変えてもよい。実際に送信パラメータの調整に強い影響を与えるのは、電波出力又は送信周波数であるため、電波出力又は送信周波数を調整するのがよい。
【００３６】
以下、本発明の実施形態における出力パラメータの調整動作を、図５、図６のフローチャートを参照して具体的説明する。なお、以下の説明では、送信パラメータの調整例としてハンディターミナル３０の電波出力を変更する例を述べる。またＲＦＩＤタグ２０，２１を単にタグ２０，２２と呼ぶこともある。
【００３７】
図５は、パラメータ調整の準備段階を示すフローチャートであり、先ずステップＳ１では、図３で示すように、読ませたくない位置にタグ２１を置く。つまり、読み取りたくないＲＦＩＤタグ２１をエリア外の位置に配置する。ステップＳ２では、読ませたい位置にタグ２０を置き、本来読み取りたいＲＦＩＤタグ２０を読み取り可能なエリア内の位置に配置する。
【００３８】
ステップＳ３では、ハンディターミナル３０の操作部３０２に備えた自動調整ボタンを押すことで出力自動設定が開始され、ステップＳ４では、ＲＦＩＤ制御部（送信パラメータ調整部）３５から読み取り要求のコマンドが送信され、図６のステップＳ５に移行する。
【００３９】
図６は、出力パラメータの調整動作を示すフローチャートであり、ステップＳ５では、ハンディターミナル３０の電波出力を上限値、即ちＲＦＩＤタグ２１の情報が読み取れなくなると想定される出力値に設定し、ステップＳ６でタグ２０，２１に向けて電波を送信する。ステップＳ７では、タグ２１からの応答電波の有無をもとにタグ２１の情報が読めたか否かを判断する。
【００４０】
タグ２１の情報が読めた場合は、ステップＳ８に進み、一旦送信を停止して次のステップＳ９で現出力値よりも所定値だけ出力を下げ（−）、ステップＳ６に戻って電波を送信する。以下、Ｓ７、Ｓ８，Ｓ９、Ｓ６を繰り返し、ステップＳ７でタグ２１の情報が読めなくなるまで現出力値を段階的に下げていく。ステップＳ７でタグ２１の情報が読めなくなったと判断すると、ステップＳ１０で一旦送信を停止し、ステップＳ１１ではタグ２１の情報が読めなくなったときの現出力値（Ｄ１）を一時保管する。
【００４１】
次にステップＳ１２では、現出力値（Ｄ１）よりも所定値だけ出力を下げ（−）、ステップＳ１３で電波を送信する。ステップＳ１４では、タグ２０からの応答電波の有無をもとにタグ２０の情報が読めたか否かを判断する。タグ２０の情報が読めた場合は、ステップＳ１５に進み、一旦送信を停止して次のステップＳ１６で現出力値よりも所定値だけ出力を下げ（−）、ステップＳ１３に戻って電波を送信する。以下、Ｓ１４、Ｓ１５，Ｓ１６、Ｓ１３を繰り返し、ステップＳ１４でタグ２０の情報が読めなくなるまで現出力値を段階的に下げていく。
【００４２】
ステップＳ１４でタグ２０の情報が読めなくなったと判断すると、ステップＳ１７で送信を停止し、ステップＳ１８では、タグ２０の情報が読めなくなったときの現出力値（Ｄ２）を一時保管する。そしてステップＳ１９では、ステップＳ１１とステップＳ１８で保管した出力値Ｄ１，Ｄ２を基に最適値を算出する。ここでは、例えば（Ｄ１＋Ｄ２）／２を最適値として算出し、Ｄ１とＤ２の中間の出力値に設定し、ステップＳ２０で設定値を保存して終了する。
【００４３】
こうして、ハンディターミナル３０からの電波出力を段階的に変更し、図４で示すように、読みたいＲＦＩＤタグ２０の情報が読み取れ、且つ、読みたくないＲＦＩＤタグ２１の情報が読み取れなくなる電波出力に設定する。例えば、ステップＳ１１の上限値Ｄ１とステップＳ１８の下限値Ｄ２の中間値に設定する。或いは中間値よりもやや下限値側に出力を設定すると、読みたくないＲＦＩＤタグ２１の情報は確実に読み取れなくなる。
【００４４】
尚、以上の説明では、ハンディターミナル３０から電波出力を段階的に変更する例を述べたが、周波数を変える場合も同様に徐々に変更して最適周波数を求めることができる。
【００４５】
以上説明した本発明の実施形態によれば、資産管理（例えば棚卸）において指定エリア以外のタグの情報が読み取られた場合は、送信パラメータを調整することにより、読み取れなくすることができるため、リードエラーを低減して効率よく管理を行うことができる。
【００４６】
また本発明の実施形態は、以上の説明に限定されることなく、特許請求の範囲を逸脱しない範囲で種々の変形が可能である。
【符号の説明】
【００４７】
１００…保管棚
１０…ホルダー（管理対象資産）
２０…ＲＦＩＤタグ
３０…ハンディターミナル（ＲＦＩＤリーダ）
３１…ＣＰＵ
３５…ＲＦＩＤ制御部（パラメータ調整部）
３６…送信制御部
３７…受信制御部
３８…サーキュレータ
３９…アンテナ
４０…ＰＣ（資産管理部）
５０…データベース
３０１…表示部
３０２…操作部
【図１】
2011060042.tif 000003
【図２】
2011060042.tif 000004
【図３】
2011060042.tif 000005
【図４】
2011060042.tif 000006
【図５】
2011060042.tif 000007
【図６】
2011060042.tif 000008